(57)【要約】  【課題】把持部を握って掃除を行ないやすい電気掃除機用吸込具を提供する。  【解決手段】吸込部２が連結された第１接続管７と、把持部５が連結された第２接続管８とを、連結装置６により連結する。連結装置６は、第１接続管７に連結される第１連結部９と、第２接続管８に連結される第２連結部１０とを備える。第２連結部１０に対して第１連結部９を回転させることにより、把持部５を回転させることなく、吸込部本体１１を回動させて、吸込部本体１１の底面が床面Ｆに対向する状態（基本姿勢）から、吸込部本体１１の前面が床面Ｆに対向する状態で直立した姿勢（直立姿勢）とすることができる。【選択図】        図１
2006230856.tif 000002
【特許請求の範囲】
【請求項１】
吸込部から吸い込まれた床面上の塵埃を電気掃除機本体側へ送るための接続管と、上記接続管の上記吸込部と反対側に形成され、上記接続管とともに上記吸込部を床面に沿って移動させるために把持される把持部とを備える電気掃除機に適用され、上記接続管の途中部に介装されて、上記接続管の上記吸込部側と上記把持部側とを連結する電気掃除機用連結装置であって、
上記接続管の上記吸込部側に連結される第１連結部と、
上記接続管の上記把持部側に連結される第２連結部とを備え、
上記第１連結部および上記第２連結部は、基準回転位置に対して互いに回転可能に連結されていることを特徴とする電気掃除機用連結装置。
【請求項２】
上記第１連結部および上記第２連結部を、上記基準回転位置に対して約９０°回転した姿勢で保持する手段をさらに備えることを特徴とする請求項１記載の電気掃除機用連結装置。
【請求項３】
上記第１連結部および上記第２連結部を、上記基準回転位置に対して約１８０°回転した姿勢で保持する手段をさらに備えることを特徴とする請求項１または２記載の電気掃除機用連結装置。
【請求項４】
上記第１連結部側および上記第２連結部側の間で通電を行うための通電機構をさらに備えることを特徴とする請求項１〜３のいずれかに記載の電気掃除機用連結装置。
【請求項５】
上記第１連結部および上記第２連結部は、上記基準回転位置に対して回転方向両側に約１８０°の角度範囲で回転可能に連結されており、
上記通電機構は、上記第１連結部側と上記第２連結部側とを電気的に接続するリード線を含むことを特徴とする請求項４記載の電気掃除機用連結装置。
【請求項６】
上記第１連結部および上記第２連結部は、回転自在に連結されており、
上記通電機構は、リング状配線と、上記第１連結部および上記第２連結部の相対的な回転に伴って上記リング状配線に摺接する接点とを含み、上記第１連結部側および上記第２連結部側を回転位置に関わりなく常時電気的に接続可能であることを特徴とする請求項４記載の電気掃除機用連結装置。
【請求項７】
上記第１連結部に取り付けられ、上記第１連結部に上記接続管の上記吸込部側が連結されていないときに使用可能な補助具をさらに備えることを特徴とする請求項１〜６のいずれかに記載の電気掃除機用連結装置。
【請求項８】
電気掃除機本体に接続され、床面上の塵埃を吸い込んで、上記電気掃除機本体側へ送るための電気掃除機用吸込具であって、
所定の厚みを有し、その厚み方向に略直交する一方向に沿って長尺形状に形成され、上記厚み方向の一方面としての底面に、床面上の塵埃を吸い込むための吸込口が形成された吸込部と、
上記吸込部に回動可能に接続され、上記吸込口から吸い込まれた塵埃を上記電気掃除機本体側へ送るための接続管と、
上記接続管の上記吸込部と反対側に連結され、上記接続管とともに上記吸込部を床面に沿って移動させるために把持される把持部と、
請求項１〜７のいずれかに記載の電気掃除機用連結装置とを備え、
上記吸込部は、上記電気掃除機用連結装置により上記接続管の上記吸込部側と上記把持部側とが互いに回転されることで、上記把持部を回転させることなく、上記接続管に対して、上記底面が床面に対向する基本姿勢と、上記厚み方向に略直交する短手方向の一方面が床面に対向する状態で直立した直立姿勢との間で回動可能であることを特徴とする電気掃除機用吸込具。
【請求項９】
上記接続管は、上記吸込部の上記短手方向の他方面における長手方向および厚み方向の中央部に回動可能に接続されていることを特徴とする請求項８記載の電気掃除機用吸込具。
【請求項１０】
上記吸込部を、上記接続管に対して、上記直立姿勢において平面視で上記接続管が延びる方向に長手方向が沿った回動位置でに保持する手段をさらに備えることを特徴とする請求項８または９記載の電気掃除機用吸込具。
【請求項１１】
上記吸込部の上記短手方向の一方面には、上記吸込部が上記直立姿勢のときに床面上の塵埃を吸い込むためのサブ吸込口が形成されていることを特徴とする請求項８〜１０のいずれかに記載の電気掃除機用吸込具。
【請求項１２】
上記吸込部が上記基本姿勢のときには、上記サブ吸込口を閉塞し、上記吸込部が上記直立姿勢のときには、床面に当接して変位することにより、上記サブ吸込口を開放することができる開閉部をさらに備えることを特徴とする請求項１１記載の電気掃除機用吸込具。
【発明の詳細な説明】
【技術分野】
【０００１】
この発明は、電気掃除機に関し、特に、吸込部から吸い込まれた床面上の塵埃を電気掃除機本体側へ送るための接続管に介装される電気掃除機用連結装置およびこれを備えた電気掃除機用吸込具に関する。
【背景技術】
【０００２】
一般的な電気掃除機は、電動送風機を備えた本体と、床面に沿って移動される吸込部と、この吸込部を本体に接続する接続ホースとを備えている。この種の電気掃除機を運転させると、本体に備えられた電動送風機の駆動により、吸込部の底面に形成された吸込口から機外の空気（床面上の空気）が吸い込まれ、その空気が、接続ホースを介して本体内に吸い込まれる。本体内には、たとえば、使い捨ての集塵フィルタが収容されていて、本体内に吸い込まれた空気が集塵フィルタを通過する際に、その空気に含まれる塵埃が捕獲される。
【０００３】
吸込部は、通常、所定の厚みを有し、その厚み方向に略直交する一方向に沿って長尺形状に形成されている。接続ホースは、一端部が本体に接続された蛇腹状の可撓性ホースと、一直線状に延びるほぼ可撓性を有しない部材であって、可撓性ホースの他端部と吸込部とを接続する接続管とを含む。接続管は、吸込部の長手方向中央部に接続されている。接続管には、可撓性ホースとの接続部近傍に把持部が形成されており、ユーザは、把持部を握って、接続管を所定の姿勢で保持し、接続管とともに吸込部を床面に沿って移動させることにより、床面上の所望の箇所にある塵埃を吸込部から吸い込ませることができる。
【０００４】
しかし、従来の電気掃除機では、接続管に対して吸込部が回動可能な角度範囲が小さく、平面視で接続管が延びる方向に吸込部の長手方向が沿う程度にまで、接続管に対して吸込部を回動させることはできなかった。そのため、吸込部の厚み方向に略直交する短手方向の長さと同程度の幅しかない隙間に吸込部を挿入して、良好に掃除を行うことはできなかった。
【０００５】
そこで、接続管に対して吸込部が回動可能な角度範囲を大きくして、平面視で接続管が延びる方向に吸込部の長手方向が沿う程度にまで、接続管に対して吸込部を回動させることができるような構成が提案されている（たとえば、特許文献１参照）。
【特許文献１】特開平１０−２６２８７８号公報（第１９図）
【発明の開示】
【発明が解決しようとする課題】
【０００６】
しかし、特許文献１に提案されているような構成では、接続管に対して吸込部を回動させる際に、接続管とともに把持部も回転するので、狭い隙間を掃除する際には、回転した状態の把持部を握って掃除を行なわなければならない。したがって、狭い隙間を掃除する際、把持部に力を加えにくく、掃除がしづらいという問題がある。
また、特許文献１に提案されているような構成では、吸込部の短手方向の長さよりも狭い幅しかない隙間に吸込部を挿入して掃除を行うことはできない。
【０００７】
この発明は、かかる背景のもとでなされたもので、把持部を握って掃除を行ないやすい電気掃除機用連結装置およびこれを備えた電気掃除機用吸込具を提供することを目的とする。
また、この発明の別の目的は、より狭い隙間の掃除を良好に行うことができる電気掃除機用連結装置およびこれを備えた電気掃除機用吸込具を提供することである。
【課題を解決するための手段】
【０００８】
上記目的を達成するための請求項１記載の発明は、吸込部（２，２０２，３０２，４０２）から吸い込まれた床面（Ｆ）上の塵埃を電気掃除機本体側へ送るための接続管（３）と、上記接続管の上記吸込部と反対側に形成され、上記接続管とともに上記吸込部を床面に沿って移動させるために把持される把持部（５）とを備える電気掃除機に適用され、上記接続管の途中部に介装されて、上記接続管の上記吸込部側と上記把持部側とを連結する電気掃除機用連結装置（６）であって、上記接続管の上記吸込部側に連結される第１連結部（９）と、上記接続管の上記把持部側に連結される第２連結部（１０）とを備え、上記第１連結部および上記第２連結部は、基準回転位置に対して互いに回転可能に連結されていることを特徴とする電気掃除機用連結装置である。
【０００９】
なお、括弧内の英数字は、後述の実施形態における対応構成要素を表す。以下、この項において同じ。
この構成によれば、連結機構を介して第１連結部および第２連結部を互いに回転させることにより、接続管の吸込部側と把持部側とを互いに回転させることができる。したがって、第２連結部に対して第１連結部を回転させることにより、把持部を回転させることなく、吸込部を接続管に対して回動させることができる。そのため、吸込部の接続管に対する回動位置に関わらず、把持部を回転させることなく握って掃除を行うことができるので、掃除を行ないやすい。
【００１０】
請求項２記載の発明は、上記第１連結部（９）および上記第２連結部（１０）を、上記基準回転位置に対して約９０°回転した姿勢で保持する手段（３９，４１，４９，５０）をさらに備えることを特徴とする請求項１記載の電気掃除機用連結装置（６）である。
接続管に回動可能に取り付けられた吸込部を接続管に対して回動させる際、吸込部の底面に形成された吸込口が床面に対向する状態（基本姿勢）における、第１連結部および第２連結部の回転位置を基準回転位置とした場合に、第２連結部に対して第１連結部を基準回転位置から約９０°回転させると、吸込部の底面が床面に対向した状態のまま、平面視で接続管が延びる方向とほぼ平行に吸込部の長手方向が延びる状態（平行姿勢）となる。
【００１１】
この発明の構成によれば、第１連結部および第２連結部を、基準回転位置に対して約９０°回転した姿勢で保持することにより、吸込部を接続管に対して平行姿勢で保持することができる。したがって、壁際を掃除する際に、吸込部を平行姿勢で保持し、吸込部をその長手方向が壁に沿うように安定して移動させることができるので、さらに掃除を行ないやすい。
【００１２】
請求項３記載の発明は、上記第１連結部（９）および上記第２連結部（１０）を、上記基準回転位置に対して約１８０°回転した姿勢で保持する手段（３９，４１，４８）をさらに備えることを特徴とする請求項１または２記載の電気掃除機用連結装置（６）である。
接続管に回動可能に取り付けられた吸込部を接続管に対して回動させる際、吸込部の底面に形成された吸込口が床面に対向する状態（基本姿勢）における、第１連結部および第２連結部の回転位置を基準回転位置とした場合に、第２連結部に対して第１連結部を基準回転位置から約１８０°回転させると、吸込部の厚み方向に略直交する短手方向の一方面が床面に対向して吸込部が直立した状態（直立姿勢）で、平面視で接続管が延びる方向に吸込部の長手方向が沿った状態となる。
【００１３】
この発明の構成によれば、第１連結部および第２連結部を、基準回転位置に対して約１８０°回転した姿勢で保持することにより、吸込部を接続管に対して直立姿勢で保持することができる。したがって、床面上の狭い隙間などを掃除する際に、吸込部を直立姿勢で保持し、吸込部の短手方向の長さよりも狭い幅の隙間に吸込部を安定して挿入することができるので、さらに掃除を行ないやすい。
【００１４】
請求項４記載の発明は、上記第１連結部（９）側および上記第２連結部（１０）側の間で通電を行うための通電機構（４３，４４，４５；７６，７７，７８，８２，８３，８４）をさらに備えることを特徴とする請求項１〜３のいずれかに記載の電気掃除機用連結装置（６）である。
この構成によれば、通電機構を介して、電気掃除機本体側から吸込部側に電力を供給し、その電力を用いて吸込部側に備えられた電気部品を動作させることができる。
【００１５】
請求項５記載の発明は、上記第１連結部（９）および上記第２連結部（１０）は、上記基準回転位置に対して回転方向両側に約１８０°の角度範囲で回転可能に連結されており、上記通電機構（４３，４４，４５）は、上記第１連結部側と上記第２連結部側とを電気的に接続するリード線（４５）を含むことを特徴とする請求項４記載の電気掃除機用連結装置（６）である。
【００１６】
この構成によれば、第１連結部および第２連結部が、基準回転位置に対して回転方向両側に約１８０°の角度範囲までしか回転できないので、第１連結部および第２連結部の回転角度が大きくなりすぎてリード線が切断されるのを防止できる。
請求項６記載の発明は、上記第１連結部（９）および上記第２連結部（１０）は、回転自在に連結されており、上記通電機構（７６，７７，７８，８２，８３，８４）は、リング状配線（７６）と、上記第１連結部および上記第２連結部の相対的な回転に伴って上記リング状配線に摺接する接点（８２）とを含み、上記第１連結部側および上記第２連結部側を回転位置に関わりなく常時電気的に接続可能であることを特徴とする請求項４記載の電気掃除機用連結装置（６）である。
【００１７】
この構成によれば、リング状配線と接点とを含む構成により、第１連結部および第２連結部の回転位置に関わりなく、電気掃除機本体側から吸込部側に電力を常時供給することができる。したがって、回転自在に連結された第１連結部および第２連結部を任意の回転位置まで回転させることができるので、使い勝手がよい。
請求項７記載の発明は、上記第１連結部（９）に取り付けられ、上記第１連結部に上記接続管（３）の上記吸込部（２，２０２，３０２，４０２）側が連結されていないときに使用可能な補助具（８５）をさらに備えることを特徴とする請求項１〜６のいずれかに記載の電気掃除機用連結装置（６）である。
【００１８】
この構成によれば、補助具（たとえば、ブラシ）を使用する際、第２連結部に対して第１連結部を回転させることにより、把持部を回転させることなく補助具の角度を調整することができる。したがって、補助具を用いて天井の掃除を行なう際などには、補助具の角度を１８０°反転させて使用することができるので、さらに掃除を行ないやすい。
請求項８記載の発明は、電気掃除機本体に接続され、床面（Ｆ）上の塵埃を吸い込んで、上記電気掃除機本体側へ送るための電気掃除機用吸込具（１）であって、所定の厚みを有し、その厚み方向に略直交する一方向に沿って長尺形状に形成され、上記厚み方向の一方面としての底面に、床面上の塵埃を吸い込むための吸込口（１６）が形成された吸込部（２，２０２，３０２，４０２）と、上記吸込部に回動可能に接続され、上記吸込口から吸い込まれた塵埃を上記電気掃除機本体側へ送るための接続管（３）と、上記接続管の上記吸込部と反対側に連結され、上記接続管とともに上記吸込部を床面に沿って移動させるために把持される把持部（５）と、請求項１〜７のいずれかに記載の電気掃除機用連結装置（６）とを備え、上記吸込部は、上記電気掃除機用連結装置により上記接続管の上記吸込部側と上記把持部側とが互いに回転されることで、上記把持部を回転させることなく、上記接続管に対して、上記底面が床面に対向する基本姿勢と、上記厚み方向に略直交する短手方向の一方面が床面に対向する状態で直立した直立姿勢との間で回動可能であることを特徴とする電気掃除機用吸込具である。
【００１９】
この構成によれば、把持部を回転させることなく、吸込部を接続管に対して基本姿勢と直立姿勢との間で回動させることができる。したがって、吸込部が基本姿勢および直立姿勢のいずれのときでも、把持部を回転させることなく握って掃除を行うことができるので、掃除を行ないやすい。
広い床面上を掃除する際には、吸込部を基本姿勢とすることにより、吸込部の底面に形成された吸込口から塵埃を良好に吸い込むことができる。一方、床面上の狭い隙間を掃除する際には、吸込部を直立姿勢とすることにより、吸込部の短手方向の長さよりも狭い幅の隙間に吸込部を挿入して掃除を行うことができる。したがって、より狭い隙間の掃除を良好に行うことができる。
【００２０】
請求項９記載の発明は、上記接続管（３）は、上記吸込部（２，２０２，３０２，４０２）の上記短手方向の他方面における長手方向および厚み方向の中央部に回動可能に接続されていることを特徴とする請求項８記載の電気掃除機用吸込具（１）である。
この構成によれば、吸込部が直立姿勢のときに、接続管から吸込部に対して鉛直下方に外力が加わった場合でも、その外力が吸込部に対して短手方向に沿って作用するので、吸込部が直立姿勢から転倒し難い。したがって、狭い隙間の掃除をさらに良好に行うことができる。
【００２１】
請求項１０記載の発明は、上記吸込部（２，２０２，３０２，４０２）を、上記接続管（３）に対して、上記直立姿勢において平面視で上記接続管が延びる方向に長手方向が沿った回動位置でに保持する手段（３９，４１，４８）をさらに備えることを特徴とする請求項８または９記載の電気掃除機用吸込具（１）である。
この構成によれば、吸込部の回動位置を、直立姿勢において平面視で接続管が延びる方向に長手方向が沿った状態で保持することができるので、狭い隙間の掃除を行う際に、平面視で接続管が延びる方向に沿って接続管をスライドさせることにより、吸込部を直立姿勢で長手方向に沿って安定して移動させることができる。したがって、狭い隙間の掃除をさらに良好に行うことができる。
【００２２】
請求項１１記載の発明は、上記吸込部（２，２０２，３０２，４０２）の上記短手方向の一方面には、上記吸込部が上記直立姿勢のときに床面（Ｆ）上の塵埃を吸い込むためのサブ吸込口（１９）が形成されていることを特徴とする請求項８〜１０のいずれかに記載の電気掃除機用吸込具（１）である。
この構成によれば、狭い隙間の掃除を行う際、吸込部を直立姿勢とすることにより、床面上の塵埃をサブ吸込口から良好に吸い込むことができる。したがって、狭い隙間の掃除をさらに良好に行うことができる。
【００２３】
請求項１２記載の発明は、上記吸込部（２，２０２，３０２，４０２）が上記基本姿勢のときには、上記サブ吸込口（１９）を閉塞し、上記吸込部が上記直立姿勢のときには、床面（Ｆ）に当接して変位することにより、上記サブ吸込口を開放することができる開閉部（２０）をさらに備えることを特徴とする請求項１１記載の電気掃除機用吸込具（１）である。
【００２４】
この構成によれば、吸込部が基本姿勢のときには、サブ吸込口を開閉部で閉塞することにより、吸込口から塵埃を良好に吸い込むことができ、吸込部が直立姿勢のときには、サブ吸込口を開放することにより、サブ吸込口から塵埃を良好に吸い込むことができる。
【発明を実施するための最良の形態】
【００２５】
以下には、図面を参照して、この発明の実施形態について具体的に説明する。
図１は、この発明の第１実施形態に係る電気掃除機用吸込具１の構成を示す側面図である。以下では、図１における左側を前方、右側を後方とし、図１における手前側を左方、奥側を右方として説明する。
図１を参照して、この電気掃除機用吸込具１は、電動送風機を備えた電気掃除機本体（図示せず）に接続され、床面上の塵埃を吸い込んで、電気掃除機本体側へ送るためのものであって、床面Ｆに沿って移動され、床面Ｆ上の塵埃を吸い込むための吸込部２と、一端部が吸込部２に対して回動可能に接続され、吸込部２から吸い込まれた塵埃を電気掃除機本体側へ送るための接続管３とを備えている。
【００２６】
接続管３は、一直線状に延びるほぼ可撓性を有しない略円筒状部材であって、その他端部に、可撓性を有する蛇腹状の可撓性ホース４の一端部が接続されている。可撓性ホース４の他端部は、電気掃除機本体に接続されており、吸込部２から吸い込まれた床面Ｆ上の塵埃は、接続管３および可撓性ホース４を介して電気掃除機本体に送られ、電気掃除機本体内で捕獲される。
【００２７】
接続管３の他端部（吸込部２と反対側の端部）には、掃除を行う際にユーザが把持するための把持部５が形成されている。把持部５は、接続管３の他端部の外周面から突出し、吸込部２と反対側に向かって略円弧状に湾曲して延びるような姿勢で、接続管３に片持ち支持されている。ユーザは、把持部５を握って、接続管３を所定の姿勢で保持し、接続管３とともに吸込部２を床面Ｆに沿って移動させることにより、床面Ｆ上の所望の箇所にある塵埃を吸込部２から吸い込ませることができる。
【００２８】
把持部５の上面には、電気掃除機の運転の開始または終了を指示したり、電動送風機の駆動の強弱を調整したりするための操作キー（図示せず）が配置されている。把持部５には、可撓性ホース４内を通って電気掃除機本体に至る配線が接続されていて、操作キーの操作に基づく信号が、その配線を介して電気掃除機本体に入力されるようになっている。
接続管３の途中部（把持部５よりも吸込部２側）には、連結装置６が着脱可能に介装されている。これにより、接続管３は、連結装置６に対して吸込部２側の第１接続管７と、連結装置６に対して把持部５側の第２接続管８とにより構成されている。連結装置６は、第１接続管７に連結される略円筒状の第１連結部９と、第２接続管８に連結される略円筒状の第２連結部１０とを備えている。第１連結部９および第２連結部１０は、それぞれの軸線がほぼ同一直線上に延びるように配置され、互いに同一軸線を中心にして回転可能に連結されている。
【００２９】
図２は、図１に示す吸込部２の平面図である。図３は、図１に示す吸込部２の底面図である。図４は、図１に示す吸込部２を前後方向に沿った鉛直面で切断したときの断面を左方から見た左側断面図である。
図１〜図４を参照して、この吸込部２は、所定の厚みを有し、その厚み方向（鉛直方向）に略直交する一方向（図２における左右方向）に沿って長尺形状に形成された平面視略長方形状の吸込部本体１１と、この吸込部本体１１の厚み方向に略直交する長手方向の中央部に回転可能に取り付けられた回転支持部１２と、この回転支持部１２により回動可能に支持された継手部１３とを備えている。
【００３０】
回転支持部１２は、吸込部本体１１に対して、吸込部本体１１の厚み方向に略直交する短手方向（前後方向）に延びる回転軸線を中心に回転可能に取り付けられている。
継手部１３は、その一端部が球面状に形成された球面部１４となっていて、この球面部１４が回転支持部１２に遊嵌されることにより、回転支持部１２に対して球面支持にて回動可能に取り付けられている（図４参照）。継手部１３の他端部側は、第１接続管９に嵌め込まれて連結される嵌合部１５となっている。接続管３は、その第１接続管７が継手部１３の嵌合部１５に嵌め込まれることにより、吸込部２に対して回動可能に接続される。
【００３１】
吸込部本体１１の厚み方向の一方面としての底面には、塵埃を吸い込むための吸込口１６が形成されている。吸込口１６は、吸込部本体１１の底面の前端部に、吸込部本体１１の長手方向に沿って略長方形状に形成されている。吸込部本体１１内には、吸込口１６および継手部１３を連通し、吸込口１６から吸い込まれた塵埃が通過する塵埃通過領域１７が形成されている。
【００３２】
吸込部本体１１内（塵埃通過領域１７）には、吸込部本体１１の長手方向に沿って延びる回転軸（図示せず）を中心に回転可能な回転ブラシ１８が配置されている。回転ブラシ１８の外周面は吸込口１６に臨んでおり、回転ブラシ１８を高速で回転させることにより吸込口１６から塵埃を掻き込むことができる。回転ブラシ１８は、吸込部本体１１内に備えられたモータ８９（図１７参照）により回転される。
【００３３】
吸込部本体１１の短手方向の一方面としての前面には、塵埃を吸い込むためのサブ吸込口１９が、吸込口１６に連続するように形成されている。サブ吸込口１９は、塵埃通過領域１７に臨んでいる。
サブ吸込口１９は、開閉部としてのシャッター２０により開閉可能となっている。シャッター２０は、吸込部本体１１の前面に沿って左右方向に長尺形状に形成され、その左右両端部が、吸込部本体１１の前面に対して回動可能に取り付けられている。シャッター２０は、図示しないばねなどの付勢手段により、サブ吸込口１９を閉塞する方向（図４における反時計回り）に付勢されている。
【００３４】
図４に示すように、吸込部本体１１の底面が床面Ｆに対向する状態（基本姿勢）であって、シャッター２０に外力が加わっていないときには、付勢手段により付勢されるシャッター２０がサブ吸込口１９の前方に位置し、サブ吸込口１９が閉塞されている。
図４に示す状態から、シャッター２０に前方から壁などの障害物が当接して、シャッター２０に後方に向かって外力が加わった場合には、付勢手段の付勢力に抗して、シャッター２０が図４における時計回りに回転し、図５に示すように、サブ吸込口１９が開放される。サブ吸込口１９を開放する方向に回動したシャッター２０は、吸込部本体１１内における塵埃通過領域１７の上方前側に形成されたシャッター収容領域２１に収容される。
【００３５】
シャッター２０の前面下部には、その左端部から右端部にかけて、シャッター２０に前方から障害物が当接したときの衝撃を和らげるための緩衝部材２２が備えられ、本実施形態では、緩衝部材２２は、表面に起毛布を装着させた回転自在なローラで構成し、障害物に当接すると、ローラが回転しながらシャッター２０が開放されるようになっている。シャッター２０が、図５に示す状態まで回動してシャッター収容領域２１に収容されると、緩衝部材２２がシャッター収容領域２１の入口２１Ａに引っ掛かり、サブ吸込口１９を開放する方向（図５における時計回り）にそれ以上回動しなくなる。この状態では、シャッター２０の下端部が略鉛直方向に沿って延び、その前面が鉛直方向に沿った平坦面２３を形成している。
【００３６】
図６は、図１に示す連結装置６の平面図である。図７は、図６に示す矢印Ａ−Ａに沿って見た連結装置６の断面図である。図８は、図７に示す矢印Ｂ１−Ｂ１に沿って見た連結装置６の断面図である。
図６〜図８を参照して、第１連結部９には、内部に第１接続管７が挿入される略円筒状の筒部２４と、この筒部２４の上面にビス止めされ、その外周面が筒部２４の外周面に連続するように取り付けられた第１カバー２５とが備えられている。筒部２４の上面と第１カバー２５の下面との間には空間２６が形成されており、この空間２６内に、筒部２４内に挿入される第１接続管７を係止するための係止爪２７が回動可能に配置されている。係止爪２７は、ばね２８により、図７における時計回りに付勢されている。係止爪２７の一端部には、筒部２４の上面に形成された開口２９から筒部２４内に臨み、第１接続管７に係止するための係止部３０が形成されている。係止爪２７の他端部には、第１接続管７に対する係止部３０の係止状態を解除するために操作される操作部３１が形成されている。第１カバー２５には、係止爪２７の操作部３１に対向する位置に貫通孔３２が形成されていて、この貫通孔３２に操作部３１が挿通されることにより、操作部３１が上方から操作可能となっている。
【００３７】
第２連結部１０には、その前端部に第１連結部９の後端部が嵌め込まれるとともに、その後端部が第２接続管８に挿入される内筒部３３と、この内筒部３３の前端部の径方向外側に一定間隔を空けて形成された外筒部３４とが備えられている。外筒部３４の上側部分には切欠き３５が形成されており、内筒部３３の上面には、切欠き３５により形成された開口を覆うように第２カバー３６がビス止めされている。第２カバー３６は、内筒部３３の上面に取り付けられた状態で、その外周面が外筒部３４の外周面に連続している。第１連結部９の筒部２４には、その後端部の外周面に、円環状のパッキン３７が取り付けられていて、このパッキン３７の外周面が第２連結部１０の内筒部３３の内周面に圧接されることにより、第１連結部９と第２連結部１０とが、密閉された状態で回転可能に連結されている。
【００３８】
第２連結部１０の内筒部３３の上面と第２カバー３６との間には空間３８が形成されており、この空間３８内に、第１連結部９と第２連結部１０とを所定の回転位置で保持するためのストッパ３９が、前後方向にスライド可能に配置されている。ストッパ３９は、第１連結部９と第２連結部１０とが並ぶ方向（前後方向）に沿って延び、その前端部に、平面視略三角形状に先細りした係止部４０が形成されている。ストッパ３９の後側には、ストッパ３９を前方に向かって付勢するためのばね４１が配置されている。第２カバー３６が第２連結部１０の内筒部３３の上面に取り付けられると、第２カバー３６の下面後部から下方に突出する突出板４２がばね４１の後方に対向し、この突出板４２の前面とストッパ３９の後面との間に、ばね４１がある程度縮んだ状態で挟持される。
【００３９】
第２連結部１０には、金属製の２本の接続ピン４３が、後方に向かって突出形成されている。第２連結部１０が第２接続管８に連結されると、２本の接続ピン４３が、それぞれ第２接続管８に備えられた金属製のピン受け部（図示せず）に挿入され、電気的に接続される。一方、第１連結部９には、金属製の２つのピン受け部４４が、前後方向に延びるように形成されている。第１連結部９が第１接続管７に連結されると、第１接続管７に備えられた金属製の２本の接続ピン（図示せず）が、それぞれピン受け部４４に挿入され、電気的に接続される。第２連結部１０に備えられた２本の接続ピン４３と、第１連結部９に備えられた２つのピン受け部４４とは、２本のリード線４５を介して接続されている。２本のリード線４５は、第２連結部１０の内筒部３３と外筒部３４および第２カバー３６との間の空間３８に、周方向に沿って延びるように収容されている。
【００４０】
連結装置６により第１接続管７と第２接続管８とを連結した状態では、第１接続管７側と第２接続管８側とがリード線４５を介して電気的に接続される。２本の接続ピン４３は、上述した電気掃除機本体から可撓性ホース４内を通って把持部５に至る配線に接続され、電気掃除機本体に対して通電可能に接続される。第１接続管７内には、吸込部２に至る配線が内装されており、電気掃除機本体からの電力を、連結装置６を介して吸込部２へと供給することができるようになっている。したがって、電気掃除機本体から吸込部２に供給する電力を用いて吸込部２側に備えられた電気部品（たとえば、吸込部本体１１内に備えられた回転ブラシ１８を回転させるためのモータ）を動作させることができる。
【００４１】
第１連結部９の筒部２４の外周面には、その前後方向中央部（第２連結部１０の外筒部３４の前端部に対向する部分の近傍）に、外側後方に向かって延びるように突出形成された突出部４６が形成されている。突出部４６の後端面は、筒部２４に取り付けられた第１カバー２５の後端面に連続しており、突出部４６の後部および第１カバー２５の後部は、第２連結部１０の内筒部３３と外筒部３４との間の空間３８に前方から入り込んでいる。第１カバー２５の後端面には、その最上部（左右方向中央部）に、ストッパ３９の係止部４０に対応する略三角形状の凹部（上凹部４７）が、前方に向かって窪むように形成されている。第１連結部９の突出部４６の後端面には、その最下部、最左部および最右部に、それぞれ上凹部４７と同一形状を有する略三角形状の凹部（下凹部４８、左凹部４９および右凹部５０）が、前方に向かって窪むように形成されている。
【００４２】
図１、図６〜図８に示すように、第１連結部９における係止爪２７の操作部３１が上側（第２連結部１０におけるストッパ３９がある側）に位置している状態（基準回転位置）では、上凹部４７がストッパ３９に対向し、ストッパ３９がばね４１によって前方に付勢されて、ストッパ３９の係止部４０が上凹部４７内に進入する。これにより、第１連結部９および第２連結部１０が、ばね４１の付勢力により基準回転位置において所定の保持力で保持され、図１に示すように、吸込部２を基本姿勢として掃除を行ないやすい。
【００４３】
第１連結部９および第２連結部１０を基準回転位置から互いに回転させると、ストッパ３９が、ばね４１の付勢力に抗して第１連結部９の突出部４６および第１カバー２５の後端面により後方側に押圧され、ストッパ３９の係止部４０が上凹部４７内から後方に退避する。これにより、基準回転位置におけるストッパ３９による保持力が解除され、第１連結部９および第２連結部１０が互いに回転可能となる。
【００４４】
第１連結部９を、第２連結部１０に対して基準回転位置から左側に約９０°回転させると、右凹部５０がストッパ３９に対向し、ストッパ３９がばね４１によって前方に付勢されて、ストッパ３９の係止部４０が右凹部５０内に進入する。一方、第１連結部９を、第２連結部１０に対して基準回転位置から右側に約９０°回転させると、左凹部４９がストッパ３９に対向し、ストッパ３９がばね４１によって前方に付勢されて、ストッパ３９の係止部４０が左凹部４９内に進入する。また、第１連結部９を、第２連結部１０に対して基準回転位置から左側または右側に約１８０°回転させると、下凹部４８がストッパ３９に対向し、ストッパ３９がばね４１によって前方に付勢されて、ストッパ３９の係止部４０が下凹部４８内に進入する。ストッパ３９の係止部４０が、右凹部５０内、左凹部４９内、下凹部４８内にそれぞれ進入した状態では、ばね４１の付勢力により、第１連結部９および第２連結部１０が、それぞれの回転位置において所定の保持力で保持される。
【００４５】
図９は、図７に示す矢印Ｂ２−Ｂ２に沿って見た連結装置６の断面図であって、（ａ）は基準回転位置、（ｂ）は第１連結部９を基準回転位置から右側に約１８０°回転させた状態、（ｃ）は第１連結部９を基準回転位置から左側に約１８０°回転させた状態を示している。
図７および図９を参照して、第２連結部１０の内筒部３３には、第２連結部１０に取り付けられる第２カバー３６の突出板４２に対向する位置に貫通孔５１が形成されていて、第２カバー３６が第２連結部１０に取り付けられると、突出板４２の先端部が貫通孔５１を貫通して、内筒部３３内に挿入されている第１連結部９の筒部２４に対向する。第１連結部９の筒部２４の外周面には、周方向に沿って環状溝５２が形成されていて、この環状溝５２内に、第２カバー３６の突出板４２の先端部が進入することにより、第１連結部９と第２連結部１０とが回転可能に連結される。
【００４６】
環状溝５２は、突出板４２の厚みと同程度の幅（前後方向の長さ）で形成された第１溝部５３と、基準回転位置において突出板４２と反対側となる部分に、周方向に沿って所定長さだけ、第１溝部５３よりも大きい幅で形成された第２溝部５４とからなる。第２溝部５４内には、この第２溝部５４内の周方向に沿って変位可能な変位部材５５が配置されている。
【００４７】
図９（ａ）に示すように、第１連結部９が第２連結部１０に対して基準回転位置にあるときには、変位部材５５は、第１連結部９および第２連結部１０の回転中心に対して突出板４２と反対側にあり、突出板４２に接触することはない。
図９（ｂ）に示すように、第１連結部９を第２連結部１０に対して基準回転位置から右側（図９における時計回り）に約１８０°回転させると、突出板４２が第１溝部５３から第２溝部５４に進入し、変位部材５５の一側面に接触して、変位部材５５が図９における反時計回りに変位される。この状態では、変位部材５５の他側面が、第１溝部５３と第２溝部５４とを接続する段差面５６に当接し、第１連結部９が右側にこれ以上回転しないように規制される。
【００４８】
一方、図９（ｃ）に示すように、第１連結部９を第２連結部１０に対して基準回転位置から左側（図９における反時計回り）に約１８０°回転させると、突出板４２が第１溝部５３から第２溝部５４に進入し、変位部材５５の他側面に接触して、変位部材５５が図９における時計回りに変位される。この状態では、変位部材５５の一側面が、第１溝部５３と第２溝部５４とを接続する段差面５６に当接し、第１連結部９が左側にこれ以上回転しないように規制される。
【００４９】
このように、第１連結部９および第２連結部１０は、基準回転位置に対して回転方向両側（左右両側）に約１８０°の角度範囲までしか回転できないので、第１連結９および第２連結部１０の回転角度が大きくなりすぎてリード線４５が切断されるのを防止できる。
図１０は、図１に示す状態から第１連結部９を第２連結部１０に対して左側に約９０°回転させた状態における電気掃除機用吸込具１の平面図である。また、図１１は、図１０に示す状態から第１連結部９を第２連結部１０に対して左側に約９０°回転させた状態、すなわち、図１に示す状態から第１連結部９を第２連結部１０に対して左側に約１８０°回転させた状態における電気掃除機用吸込具１の側面図である。
【００５０】
図１に示す状態から、第２連結部１０を回転させることなく、第１連結部９を第２連結部１０に対して基準回転位置から左側に約９０°回転させると、第１連結部９に連結されている第１接続管７も左側に約９０°回転する。第１接続管７が回転すると、この第１接続管７に連結されている吸込部２の回転支持部１２が回転し、それに伴なって、吸込部本体１１が平面視で反時計回りに回転して、吸込部本体１１の右端および左端が前後に延びる状態、すなわち、平面視で第１接続管７が延びる方向とほぼ平行に吸込部本体１１の長手方向が延びる状態（平行姿勢）となる。
【００５１】
この状態から第１連結部９を第２連結部１０に対してさらに左側に回転させると、吸込部本体１１の後端部（回転支持部１２側）が前端部（シャッター２０側）を軸に上方へと持ち上げられる。そして、第１連結部９を第２連結部１０に対して基準回転位置から左側に約１８０°回転させた状態では、図１１に示すように、吸込部本体１１が、その前面が床面Ｆに対向する状態で直立した姿勢（直立姿勢）となる。この状態では、平面視で接続管３が延びる方向に吸込部本体１１の長手方向が沿った状態となり、回転支持部１２は、この回動位置で、吸込部本体１１に対して所定の保持力で保持されるようになっている。回転支持部１２を吸込部本体１１に対して所定の保持力で保持するための機構は、図６〜図９において説明したような第１連結部９および第２連結部１０を連結する機構と同様の機構、すなわち、回転支持部１２および吸込部本体１１が互いに回転されるのに伴なって係止されるストッパと凹部とを備えた機構を採用できる。
【００５２】
吸込部本体１１が直立姿勢になると、シャッター２０が床面Ｆに当接し、付勢手段の付勢力に抗してシャッター２０が回転することにより、図５において説明したような態様でサブ吸込口１９が開放される（現れる）。開放されたサブ吸込口１９は床面Ｆに対向しており、吸込部本体１１が直立姿勢のときには、サブ吸込口１９から床面Ｆ上の塵埃を吸い込むことができる。吸込部本体１１が直立姿勢のときには、シャッター２０の平坦面２３（図５参照）が床面Ｆに対向し、吸込部本体１１を直立姿勢で安定して保持することができるようになっている。
【００５３】
なお、図１に示す状態から第１連結部９を第２連結部１０に対して右側に回転させた場合には、図１０および図１１を用いて説明したのと同様の態様により、第１連結部９を右側に約９０°回転させた状態で、吸込部本体１１の左端および右端が前後に延びる平行姿勢となり、第１連結部９をさらに右側に約９０°回転させた状態（図１に示す状態から右側に約１８０°回転させた状態）で、吸込部本体１１の前面が床面Ｆに対向する状態で直立した直立姿勢となる。
【００５４】
この実施形態では、第２連結部１０に対して第１連結部９を回転させることにより、把持部５を回転させることなく、吸込部２を接続管３に対して基本姿勢、平行姿勢および直立姿勢の間で回動させることができる。したがって、吸込部２が基本姿勢、平行姿勢および直立姿勢のいずれのときでも（吸込部２の接続管３に対する回動位置に関わらず）、把持部５を回転させることなく握って掃除を行うことができるので、掃除を行ないやすい。
【００５５】
広い床面Ｆ上を掃除する際には、吸込部２を基本姿勢とすることにより、サブ吸込口１９をシャッター２０で閉塞し、吸込部本体１１の底面に形成された吸込口１６から塵埃を良好に吸い込むことができる。一方、図１２および図１３に示すように、狭い間隔を空けて配置された家具５７の隙間のような床面Ｆ上の狭い隙間を掃除する際には、吸込部２を直立姿勢とすることにより、吸込部本体１１の短手方向の長さよりも狭い幅の隙間に吸込部２を挿入し、床面Ｆ上の塵埃をサブ吸込口１９から良好に吸い込むことができる。したがって、より狭い隙間の掃除を良好に行うことができる。
【００５６】
また、第１連結部９を第２連結部１０に対して回転させるだけで、把持部５を回転させることなく、吸込部２を接続管３に対して基本姿勢、平行姿勢および直立姿勢の間で容易に回動させることができる。そのため、吸込部２の接続管３に対する回動位置に関わらず、把持部５を回転させることなく握って掃除を行うことができるので、掃除を行ないやすい。
【００５７】
図１０に示すように、第１連結部９を第２連結部１０に対して基準回転位置から約９０°回転させた状態では、図６〜図９において説明したように、ストッパ３９の係止部４０が、左側に回転させたときには右凹部５０に、右側に回転させたときには左凹部４９に進入し、連結装置６の回転位置を、吸込部２が平行姿勢となった状態で保持することができる。したがって、壁際を掃除する際に、吸込部２を平行姿勢で保持し、吸込部本体１１をその長手方向が壁Ｗに沿うように安定して移動させることができるので、さらに掃除を行ないやすい。
【００５８】
シャッター２０の前面の左右両端部には、補助ローラ５８が回転可能に取り付けられており、図１０に示す状態では、各補助ローラ５８の外周面が壁Ｗに当接する。したがって、吸込部本体１１を壁Ｗに沿って移動させたときに、各補助ローラ５８を壁に沿って転動させることができるので、吸込部本体１１を移動させやすい。
図１１に示すように、第１連結部９を第２連結部１０に対して基準回転位置から約１８０°回転させた状態では、図６〜図９において説明したように、ストッパ３９の係止部４０が下凹部４８に進入し、連結装置６の回転位置を、吸込部２が直立姿勢となった状態で保持することができる。したがって、狭い隙間の掃除を行う際に、吸込部２を直立姿勢で安定して移動し、吸込部本体１１の短手方向の長さよりも狭い幅の隙間に吸込部２を安定して挿入することができるので、掃除を行ないやすく、狭い隙間の掃除をさらに良好に行うことができる。
【００５９】
図１１に示す状態では、各補助ローラ５８の外周面が床面Ｆに当接する。したがって、吸込部本体１１を床面Ｆに沿って移動させたときに、各補助ローラ５８を床面Ｆに沿って転動させることができるので、吸込部本体１１を移動させやすい。
また、吸込部本体１１の回動位置を、直立姿勢において平面視で接続管３が延びる方向に長手方向が沿った状態で保持することができるので、狭い隙間の掃除を行う際に、平面視で接続管３が延びる方向に沿って接続管３をスライドさせることにより、吸込部２を直立姿勢で長手方向に沿って安定して移動させることができる。したがって、狭い隙間の掃除をさらに良好に行うことができる。
【００６０】
ストッパ３９により連結装置６の回転位置を保持する保持力は、吸込部本体１１の回動位置を、直立姿勢において平面視で接続管３が延びる方向に長手方向が沿った状態で保持する保持力よりも大きいことが好ましい。
この場合、連結装置６に作用する保持力に抗して連結装置６を回転させることに追従させて、吸込部本体１１に作用する保持力に抗して吸込部２を基本姿勢と直立姿勢との間で回動させることができる。したがって、連結装置６を回転させるだけで、吸込部２を基本姿勢と直立姿勢との間で容易に回動させることができるので、操作性が向上する。
【００６１】
また、吸込部２を直立姿勢として掃除を行なっているときに、吸込部本体１１が障害物に衝突した場合、連結装置６よりも吸込部本体１１の方が回転しやすい。回転した連結装置６を元の回転位置に戻すためには、第１接続管７と第２接続管８（の把持部５）とを両手で握り、それらを相対的に回転させる必要があるが、回転した吸込部本体１１を直立姿勢に戻す場合には、把持部５を片手で握ったまま吸込部本体１１を移動させて、吸込部本体１１を障害物に衝突させるなどして、吸込部本体１１に作用する保持力により再び吸込部２を直立姿勢に保持すればよい。したがって、連結装置６よりも吸込部本体１１の方が回転しやすい構成とすることにより、吸込部２を直立姿勢として掃除を行ないやすく、狭い隙間の掃除をさらに良好に行うことができる。
【００６２】
さらに、この実施形態では、接続管３（第２接続管８）が、継手部１３を介して、吸込部本体１１の後面における長手方向および厚み方向の中央部に回動可能に接続されているので、吸込部２が直立姿勢のときに、接続管３から吸込部２に対して鉛直下方に外力が加わった場合でも、その外力が吸込部本体１１に対して短手方向に沿って作用するので、吸込部２が直立姿勢から転倒し難い。したがって、狭い隙間の掃除をさらに良好に行うことができる。
【００６３】
図１４は、連結装置６の第１変形例を示す断面図であって、連結装置６を前後方向に沿った鉛直面で切断したときの断面を左方から見た図を示している。
図１４を参照して、この第１変形例に係る連結装置６は、第１接続管７に連結される略円筒状の第１連結部５９と、第２接続管８に連結される略円筒状の第２連結部６０とを備えている。第１連結部５９および第２連結部６０は、それぞれの軸線がほぼ同一直線上に延びるように配置され、互いに同一軸線を中心にして回転可能に連結されている。
【００６４】
第１連結部５９には、内部に第１接続管７が挿入される略円筒状の筒部６１と、この筒部６１の上面にビス止めされ、その外周面が筒部６１の外周面に連続するように取り付けられた第１カバー６２とが備えられている。筒部６１の上面と第１カバー６２の下面との間には空間６３が形成されており、この空間６３内に、筒部６１内に挿入される第１接続管７を係止するための係止爪６４が回動可能に配置されている。係止爪６４は、ばね６５により、図１４における時計回りに付勢されている。係止爪６４の一端部には、筒部６１の上面に形成された開口６６から筒部６１内に臨み、第１接続管７に係止するための係止部６７が形成されている。係止爪６４の他端部には、第１接続管７に対する係止爪６４の係止状態を解除するために操作される操作部６８が形成されている。第１カバー６２には、係止爪６４の操作部６８に対向する位置に貫通孔６９が形成されていて、この貫通孔６９に操作部６８が挿通されることにより、操作部６８が上方から操作可能となっている。
【００６５】
第２連結部６０には、その前端部に第１連結部５９の後端部が嵌め込まれるとともに、その後端部が第２接続管８に挿入される筒部７０と、この筒部７０の上面にビス止めされ、その外周面が筒部７０の外周面に連続するように取り付けられた第２カバー７１とが備えられている。第１連結部５９の筒部６１には、その後端部の外周面に、円環状のパッキン７２が取り付けられていて、このパッキン７２の外周面が第２連結部６０の筒部７０の内周面に圧接されることにより、第１連結部５９と第２連結部６０内とが、密閉された状態で回転自在に連結されている。
【００６６】
第２連結部６０の筒部７０の上面と第２カバー７１との間には空間７３が形成されており、この空間７３内に、第１連結部５９と第２連結部６０とを所定の回転位置で保持するためのストッパ（図示せず）が配置されている。第１連結部５９および第２連結部６０は、図６〜図９において説明した上述の実施形態に係る連結装置６と同様の構成により、ストッパを介して所定の保持力で保持される。
【００６７】
第２カバー７１の下面には、下方に向かって突出する突出板７４が形成されている。第２カバー７１が第２連結部６０の筒部７０に取り付けられると、突出板７４の先端部が、第２連結部６０の筒部７０内に挿入されている第１連結部５９の筒部６１に対向する。第１連結部５９の筒部６１の外周面には、周方向に沿って環状溝７５が形成されていて、この環状溝７５内に、第２カバー７１の突出板７４の先端部が挿入されることにより、第１連結部５９と第２連結部６０とが回転自在可能に連結される。
【００６８】
図１５は、第１変形例に係る連結装置６の第１連結部５９の平面図であって、第１カバー６２を取り外した状態を示している。
図１４および図１５を参照して、第１連結部５９の筒部６１には、その後端部（環状溝７５よりも前側）の外周面に、それぞれ金属製で円環状の２つのリング状配線７６が、前後に所定の間隔を空けて並べて取り付けられている。第１連結部５９には、２つのピン受け部７７が、前後方向に延びるように形成されていて、これらの２つのピン受け部７７が、それぞれリード線７８を介して２つのリング状配線７６に接続されている。第１連結部５９が第１接続管７に連結されると、第１接続管７に備えられた２本の接続ピン（図示せず）が、それぞれピン受け部７７に挿入され、電気的に接続される。
【００６９】
一方、第２連結部６０の第２カバー７１には、その前端面に形成された係止孔７９と、突出板７４に形成された係止孔８０とに係止された状態で、保持板８１が保持されている。この保持板８１の下面には、金属製の２つの接点部材８２が、前後に所定の間隔を空けて並べて取り付けられている。第１連結部５９と第２連結部６０とが連結された状態では、第１連結部５９の２つのリング状配線７６に第２連結部６０の２つの接点部材８２がそれぞれ当接し、第１連結部５９と第２連結部６０との相対的な回転に伴なって、各接点部材８２が、対応するリング状配線７６に摺接する。第２連結部６０には、金属製の２本の接続ピン８３が、後方に向かって突出形成されていて、これらの２つの接続ピン８３が、それぞれリード線８４を介して２つの接点部材８２に接続されている。第２連結部６０が第２接続管８に連結されると、２本の接続ピン８３が、それぞれ第２接続管８に備えられたピン受け部（図示せず）に挿入され、電気的に接続される。
【００７０】
連結装置６により第１接続管７と第２接続管８とを連結した状態では、第１接続管７側と第２接続管８側とがリング状配線７６および接点部材８２を介して電気的に接続される。第１連結部５９と第２連結部６０との相対的な回転に伴なって互いに摺接するリング状配線７６および接点部材８２を用いて、第１接続管７側と第２接続管８側との通電を行なうことにより、第１連結部５９および第２連結部６０の回転位置に関わりなく、電気掃除機本体側から吸込部２側に常時電力を供給することができる。したがって、回転自在に連結された第１連結部５９および第２連結部６０を任意の回転位置まで回転させることができるので、使い勝手がよい。
【００７１】
図１６は、連結装置６の第２変形例を示す左側面図である。この第２変形例に係る連結装置６において、第１実施形態に係る連結装置６の各部に対応する部分には、第１実施形態に係る連結装置６と同一の参照符号を付して示し、以下では、その部分についての詳細な説明を省略する。
図１６を参照して、この第２変形例に係る連結装置６は、第１連結部９に第１接続管７が連結されていないときに使用可能な補助具８５を備えている。補助具８５は、第１連結部９に対して左右方向に延びる回動軸８６を中心に回動可能に取り付けられた取付部８７と、取付部８７の回動軸８６と反対側に植設された複数の毛からなるブラシ部８８とを含む。
【００７２】
第１連結部９に第１接続管７が連結されているときには、補助具８５は、図１６に実線で示すように、取付部８７が回動軸８６に対して下方に延びるような姿勢で、第１連結部９の外周面に沿った状態とされる。この状態では、ブラシ部８８が取付部８７から第１連結部９の外面に沿って後方に延びている。
壁際の隅を掃除する場合などには、第１接続管７を第１連結部９から取り外し、回動軸８６を中心に補助具８５を図１６における時計回りに回動させることにより、補助具８５を使用可能な状態とすることができる。すなわち、補助具８５を回動させて、図１６に破線で示すように、取付部８７が回動軸８６に対して上方に延びるような姿勢で、第１連結部９の外周面に沿った状態にすると、ブラシ部８８が取付部８７から前方に向かって延び、第１連結部９の前端面よりも前方に張り出した状態となる。したがって、ブラシ部８８を用いて塵埃を掻き寄せることにより、壁際の隅などの掃除を良好に行うことができる。
【００７３】
連結装置６は、第１連結部９および第２連結部１０が互いに回転可能に連結された構成となっているので、補助具８５を使用する際、第２連結部１０に対して第１連結部９を回転させることにより、把持部５を回転させることなく補助具８５の角度を調整することができる。したがって、補助具８５を用いて天井の掃除を行なう際などには、補助具８５の角度を、図１６に示す状態から１８０°反転させて使用することができるので、掃除を行ないやすい。
【００７４】
図１７は、図１に示す吸込部２の平面図であって、吸込部本体１１の一部を断面で示している。
図３および図１７を参照して、吸込部本体１１の後部左側には、回転ブラシ１８を回転させるためのモータ８９が備えられている。モータ８９の駆動軸９０は左方に向かって延び、その途中部にプーリ９１が取り付けられている。モータ８９の駆動軸９０に取り付けられたプーリ９１と、回転ブラシ１８の回転軸（図示せず）との間には、ベルト９２が掛け回されており、モータ８９を駆動させると、その駆動力がプーリ９１およびベルト９２を介して回転ブラシ１８の回転軸に伝達され、回転ブラシ１８が回転する。
【００７５】
吸込部本体１１の後部右側には、左右方向に沿って延びる回転軸９３を中心に、ローラ９４が回転自在に支持されている。ローラ９４は、吸込部２が基本姿勢のときには、その外周面が床面Ｆに当接し、吸込部２の移動に伴なって床面Ｆ上を転動する。ローラ９４は、その回転軸９３が支持部材９５（図１８参照）に固定されることにより、支持部材９５に対して回転自在に取り付けられている。
【００７６】
図１８は、ローラ９４および支持部材９５の構成を示す図であって、（ａ）は正面図、（ｂ）は右側面図を示している。
図１７および図１８を参照して、支持部材９５は、左右方向に延びる軸部９６と、軸部９６の右側から径方向の同じ向きに突出する２つの支持板９７と、軸部９６の左側から径方向に突出する規制部９８とが一体的に形成された構成を有している。
【００７７】
支持部材９５は、その軸部９６が、吸込部本体１１内に取り付けられたカバー部材９９により回動可能に保持されている。ローラ９４は、２つの支持板９７間に配置され、２つの支持板９７間に架け渡された回転軸９３により回転可能に支持されている。規制部９８は、軸部９６から径方向に突出し、軸部９６の軸方向に略直交する面内で、その先端に向かって略円弧状に湾曲した形状に形成されている。支持部材９５の軸部９６がカバー部材９９に回動可能に保持された状態では、カバー部材９９に形成された規制部収容室１００に規制部９８が収容される。規制部収容室１００には、規制部９８に係止して支持部材９５の回動を規制するための球体１０１が収容されている。球体１０１は、規制部収容室１００の内壁面（後壁面１００Ａ、左壁面１００Ｂおよび右壁面１００Ｃ）と、規制部９８の内面１０２（軸部９６に対向する側の面）との間に形成される空間内に配置されている。
【００７８】
吸込部本体１１内におけるカバー部材９９の左側には、支持部材９５の回動を検知するための回動検知スイッチ１０３が配置されている。支持部材９５の軸部９６の左端部には、回動検知スイッチ１０３の下方に対向する位置に、軸部９６の径方向に突出する検知用突部１０４が形成されている。
図１９は、図１７に示す矢印Ｃ−Ｃに沿って見た断面図であって、回動検知スイッチ１０３の近傍のみを示している。回動検知スイッチ１０３が、図１９（ａ）に示すような状態のときには、検知用突部１０４により回動検知スイッチ１０３のアクチュエータ１０５が押圧され、回動検知スイッチ１０３がオン状態となっている。一方、回動検知スイッチ１０３が、図１９（ｂ）に示すような状態のときには、検知用突部１０４による回動検知スイッチ１０３のアクチュエータ１０５に対する押圧が解除され、回動検知スイッチ１０３がオフ状態となっている。
【００７９】
図２０は、図１７に示す矢印Ｄ−Ｄに沿って見た断面図であって、（ａ）は、吸込部本体１１が基本姿勢で床面Ｆに当接している状態、（ｂ）は、吸込部本体１１を基本姿勢で床面Ｆから持ち上げた状態を示している。
吸込部本体１１が基本姿勢で床面Ｆに当接している状態では、吸込部本体１１の自重により、床面Ｆに当接しているローラ９４が上方に押圧され、図２０（ａ）に示すように、ローラ９４が吸込部本体１１内（カバー部材９９内）に収容された状態となる。この状態では、支持部材９５が吸込部本体１１側に回動し、検知用突部１０４が図１９（ａ）に示すような回動位置となることにより、回動検知スイッチ１０３がオン状態となる。
【００８０】
吸込部本体１１が基本姿勢で床面Ｆから持ち上げられると、ローラ９４の自重により、図２０（ｂ）に示すように、支持部材９５が反時計回りに回動し、ローラ９４が吸込部本体１１内（カバー部材９９内）から下方に張り出した状態となる。この状態では、支持部材９５が吸込部本体１１側と反対側に回動し、検知用突部１０４が図１９（ｂ）に示すような回動位置となることにより、回動検知スイッチ１０３がオフ状態となる。
【００８１】
図２０（ｂ）に示すような状態から吸込部本体１１が上下反転した姿勢になった場合などには、ローラ９４の自重により、支持部材９５が吸込部本体１１側に変位しようとするが、この場合には、支持部材９５の回動が、規制部９８と球体１０１との係止により規制されるようになっている。より具体的には、吸込部本体１１が基本姿勢で床面Ｆから持ち上げられた状態では、支持部材９５が図２０（ｂ）に示すような回動位置となり、図１７に示す規制部９８の先端面１０６と規制部収容室１００の後壁面１００Ａとの間に、球体１０１の直径と同程度の間隔が形成される。この状態から吸込部本体１１が上下反転すると、規制部収容室１００内に配置されている球体１０１が自重により下方（図１７における紙面手前側、すなわち規制部９８の先端面１０６側）に移動し、規制部９８の先端面１０６と規制部収容室１００の後壁面１００Ａとの間に球体１０１が位置した状態となる。この状態では、規制部９８が球体１０１に阻まれて元の位置（図１７に示す位置）に戻ることができず、支持部材９５が図２０（ｂ）に示すような回動位置のまま保持される。したがって、検知用突部１０４が図１９（ｂ）に示すような回動位置のまま保持され、回動検知スイッチ１０３がオフ状態で維持される。
【００８２】
このような構成によれば、回動検知スイッチ１０３がオン状態のときには、吸込部本体１１が基本姿勢で床面Ｆに当接した状態であると判断し、モータ８９を駆動させて回転ブラシ１８を回転させることができ、回動検知スイッチ１０３がオフ状態のときには、吸込部本体１１が基本姿勢のまま床面Ｆから持ち上げられたり、吸込部本体１１が上下反転されるなど、床面Ｆに当接した状態ではなくなったと判断し、モータ８９の駆動を停止させて回転ブラシ１８を停止させることができる。したがって、吸込部本体１１が床面Ｆに当接していない状態で、回転ブラシ１８が露出したまま回転するのを防止できるので、安全性が向上する。
【００８３】
しかし、上記のような構成の場合、吸込部本体１１を直立姿勢として使用する場合にも、規制部９８の先端面１０６と規制部収容室１００の後壁面１００Ａとの間に球体１０１が位置した状態となり、規制部９８が球体１０１に阻まれて元の位置（図１７に示す位置）に戻ることができず、支持部材９５が図２０（ｂ）に示すような回動位置のまま保持される。したがって、検知用突部１０４が図１９（ｂ）に示すような回動位置のまま保持され、回動検知スイッチ１０３がオフ状態で維持されることとなり、回転ブラシ１８の回転が停止してしまうので、回転ブラシ１８により塵埃をサブ吸込口１９に掻き込むことができない。
【００８４】
そこで、この実施形態では、吸込部本体１１が直立姿勢のときには、支持部材９５が図２０（ａ）に示すような回動位置で保持され、検知用突部１０４が図１９（ａ）に示すような回動位置のまま保持されることにより、回動検知スイッチ１０３がオン状態で維持されるようになっている。そのために、支持部材９５の右端部には、径方向（前方側）に突出するリンク用突部１０７が形成され、吸込部本体１１内におけるリンク用突部１０７の前方には、前後方向にスライドしてリンク用突部１０７に接触可能なスライド部材１０８が配置されている（図１７および図１８参照）。
【００８５】
図２１は、図１７に示す矢印Ｅ−Ｅに沿って見た断面図であって、（ａ）は、吸込部本体１１が基本姿勢で床面Ｆに当接している状態、（ｂ）は、吸込部本体１１が直立姿勢で床面Ｆに当接している状態を示している。
吸込部本体１１が基本姿勢で床面Ｆに当接している状態では、吸込部本体１１の自重により、床面Ｆに当接しているローラ９４が上方に押圧され、図２１（ａ）に示すように、ローラ９４が吸込部本体１１内（カバー部材９９内）に収容されている。この状態では、リンク用突部１０７が図２１（ａ）に示すような回動位置にあり、スライド部材１０８が前方に退避している。したがって、支持部材９５は、リンク用突部１０７がスライド部材１０８に接触することなく、図２１における反時計回りに回動可能であり、図２１（ａ）に示す状態から吸込部本体１１を持ち上げた場合には、ローラ９４の自重により、支持部材９５が反時計回りに回動し、ローラ９４が吸込部本体１１内（カバー部材９９内）から下方に張り出した状態となる。
【００８６】
吸込部本体１１が直立姿勢にされると、シャッター２０が床面Ｆに当接することにより、付勢手段の付勢力に抗してシャッター２０が回動され、サブ吸込口１９が解放されるとともに、シャッター２０がシャッター収容領域２１に収容される。このとき、スライド部材１０８がシャッター２０の上端面により後方に押圧され、図２１（ｂ）に示すような位置までスライドする。この状態では、リンク用突部１０７がスライド部材１０８に接触し、支持部材９５の回動が規制されるので、ローラ９４が吸込部本体１１内（カバー部材９９内）に収容された状態のまま保持され、回動検知スイッチ１０３が、図２０（ａ）に示すようにオン状態で維持される。
【００８７】
この構成によれば、吸込部本体１１が基本姿勢のときには、ローラ９４が底面Ｆに当接することにより、支持部材９５が吸込部本体１１側に変位した状態となり、吸込部本体１１が直立姿勢のときには、シャッター２０が床面Ｆに当接して変位し、サブ吸込口１９が開放されることに連動して、支持部材９５が吸込部本体１１側に変位した状態となる。したがって、吸込部本体１１が基本姿勢または直立姿勢のときには、回動検知スイッチ１０３がオン状態であること検知し、モータ８９の駆動を維持して回転ブラシ１８の回転を継続させることができる一方、吸込部本体１１が上下反転した姿勢となったときなどには、回動検知スイッチ１０３がオフ状態であることを検知し、モータ８９の駆動を停止して回転ブラシ１８の回転を停止させることにより、安全性を向上することができる。
【００８８】
また、吸込部本体１１が直立姿勢のときには、支持部材９５（およびローラ９４）が吸込部本体１１側に変位した状態（吸込部本体１１内に収容された状態）となるので、吸込部本体１１に対するローラ９４の突出量が小さくなり、より狭い隙間に吸込部本体１１を挿入することができる。したがって、狭い隙間の掃除をさらに良好に行うことができる。
図２２は、この発明の第２実施形態に係る電気掃除機用吸込具１の吸込部２０２の構成を示す底面図である。この第２実施形態に係る吸込部２０２において、第１実施形態に係る吸込部２の各部に対応する部分には、第１実施形態に係る吸込部２と同一の参照符号を付して示し、以下では、その部分についての詳細な説明を省略する。
【００８９】
この吸込部２０２には、吸込部本体１１が直立姿勢になるのに連動して吸込口１６を閉塞する開閉板１０９が、吸込部本体１１の底面に取り付けられている。開閉板１０９は、吸込口１６よりも若干大きい略長方形状に形成され、その一方の長辺に沿って左右方向に延びる回動軸１０９Ａ（図２３〜図２５参照）を中心に、吸込部本体１１の底面に対して回動可能に取り付けられている。
【００９０】
図２３は、吸込部本体１１の一部を断面で示した吸込部２０２の左側面図であって、吸込部２０２が基本姿勢で、シャッター２０が閉じた状態を示している。
開閉板１０９は、可撓性を有する複数（たとえば、３つ）のフィルム部材１１０を介して、シャッター２０に連結されている。各フィルム部材１１０は、回転ブラシ１８の後方側に配置され、前端部がシャッター２０の上端部に固定されるとともに、後端部が吸込部本体１１の底面に形成された貫通孔１１１を通って開閉板１０９の上面に固定されている。図２３に示すように吸込部２０２が基本姿勢で、シャッター２０が閉じた状態では、各フィルム部材１１０が回転ブラシ１８に対して反対側に凸湾曲した状態となっている。
【００９１】
図２４は、吸込部本体１１の一部を断面で示した吸込部２０２の左側面図であって、吸込部２０２が基本姿勢で、シャッター２０が開いた状態を示している。
壁際の掃除を行なう際には、シャッター２０が壁Ｗに当接して回動することにより、図２４に示すように、吸込部２０２が基本姿勢のまま、シャッター２０が開き、サブ吸込口１９が開放された状態となる。このとき、シャッター２０が回動してシャッター収容領域２１に収容されるのに伴なって、各フィルム部材１１０の前端部が後方に変位される。しかし、開閉板１０９は、床面Ｆに対向しているために、回転軸１０９Ａを中心に吸込口１６を閉塞する方向（図２４における時計回り）に回転することができず、各フィルム部材１１０の後端部は変位しない。したがって、各フィルム部材１１０は、前端部と後端部との距離が縮まることにより、図２３に示す状態よりも大きく撓むこととなる。
【００９２】
図２５は、吸込部本体１１の一部を断面で示した吸込部２０２の左側面図であって、吸込部２０２が直立姿勢となった状態を示している。
吸込部２０２を直立姿勢とした場合には、シャッター２０が床面Ｆに当接して回動することにより、図２５に示すように、シャッター２０が開き、サブ吸込口１９が開放された状態となる。このとき、シャッター２０が回動してシャッター収容領域２１に収容されるのに連動して、各フィルム部材１１０も変位される。この場合、図２４の場合とは異なり、開閉板１０９が床面Ｆに対向していないので、各フィルム部材１１０の変位に伴なって、開閉板１０９が回転軸１０９Ａを中心に図２５における時計回りに回転し、吸込口１６が閉塞される。したがって、吸込部２０２が直立姿勢のときには、吸込口１６が閉塞されるので、サブ吸込口１９から塵埃を良好に吸い込むことができ、狭い隙間の掃除をさらに良好に行うことができるとともに、回転ブラシ１８が露出したまま回転するのを防止できるので、安全性が向上する。
【００９３】
図２６は、この発明の第３実施形態に係る電気掃除機用吸込具１の吸込部３０２の構成を示す底面図である。この第３実施形態に係る吸込部３０２において、第１実施形態に係る吸込部２の各部に対応する部分には、第１実施形態に係る吸込部２と同一の参照符号を付して示し、以下では、その部分についての詳細な説明を省略する。
この吸込部３０２における吸込部本体１１の後部左右両端には、それぞれ、前後方向に延びる回転軸１１２を中心に、ローラ１１３が回転自在に支持されている。各ローラ１１３は、その回転軸１１２が対応する支持部材１１４（図２７および図２８参照）に固定されることにより、各支持部材１１４に対して回転可能に取り付けられている。
【００９４】
図２７は、図２６に示す吸込部３０２の吸込部本体１１を前後方向に沿った鉛直面で切断したときの断面を左方から見た断面図であって、シャッター２０が閉じた状態を示している。
図２７に示すように、各支持部材１１４は、側面視略Ｌ字状に形成され、その屈曲部に形成された左右方向に延びる回動軸１１５を中心に、吸込部本体１１に対して回動可能に取り付けられている。各支持部材１１４は、吸込部本体１１内に配置され、その一端部に回転軸１１２を介してローラ１１３が回転自在に取り付けられている。各支持部材１１４の他端部には、ばね１１６の一端部を嵌め込むための突起１１７が後方に向かって突出形成されている。
【００９５】
吸込部本体１１内には、その上面から下方に向かって突出する突出板１１８が形成されていて、この突出板１１８が、各支持部材１１４の後方に対向している。突出板１１８には、各支持部材１１４の突起１１７に対向する位置に、ばね１１６の他端部を嵌め込むための突起１１９が前方に向かって突出形成されている。
各支持部材１１４の突起１１７にばね１１６の一端部を嵌め込み、対応する突出板１１８の突起１１９にばね１１６の他端部を嵌め込むことにより、各支持部材１１４の突出板１１８との間に、ばね１１６をある程度縮めた状態で挟持することができる。このばね１１６の付勢力により、各支持部材１１４は、図２７における反時計回りに付勢され、図２７のように、各支持部材１１４に外力が加わっていない状態では、各支持部材１１４の一端部に取り付けられているローラ１１３が、吸込部本体１１内に収容された状態となっている。
【００９６】
図２８は、図２６に示す吸込部３０２の吸込部本体１１を前後方向に沿った鉛直面で切断したときの断面を左方から見た断面図であって、シャッター２０が開いた状態を示している。
壁際の掃除を行なう際には、シャッター２０が壁Ｗに当接して回動することにより、図２８に示すように、シャッター２０が開き、サブ吸込口１９が開放された状態となる。このとき、シャッター２０が回動して吸込部本体１１内に収容されるのに伴なって、シャッター２０の上端部が各支持部材１１４の他端部に当接し、各支持部材１１４がばね１１６の付勢力に抗して時計回りに回転する。これにより、各支持部材１１４の一端部に取り付けられているローラ１１３が、吸込部本体１１の底面に形成された開口１２０から下方に露出し、床面Ｆに当接する。この状態で吸込部本体１１を左右方向に移動させた場合には、床面Ｆに当接する各ローラ１１３が回転軸１１２を中心に回転するので、吸込部本体１１を移動させやすい。
【００９７】
したがって、壁際の掃除を行う際には、シャッター２０を壁Ｗに当接させて回動させることによりサブ吸込口１９を開放し、各ローラ１１３を転動させて吸込部本体１１を左右方向に移動させることにより、壁際の塵埃をサブ吸込口１９から一気に吸い込むことができる。したがって、壁際の掃除をより良好に行うことができる。
図２９は、この発明の第４実施形態に係る電気掃除機用吸込具１の吸込部４０２の構成を示す左側面図である。この第４実施形態に係る吸込部４０２において、第１実施形態に係る吸込部２の各部に対応する部分には、第１実施形態に係る吸込部４０２と同一の参照符号を付して示し、以下では、その部分についての詳細な説明を省略する。
【００９８】
この吸込部４０２における吸込部本体１１の前部左右両端には、壁際の隅などを掃除する際に用いる補助具１２１が備えられている。補助具１２１は、前後方向に延び、吸込部本体１１に対して前後方向にスライド可能に取り付けられた棒状の取付部１２２と、取付部１２２の前端部の下面から下方に向かって延びるように植設された複数の毛からなるブラシ部１２３とを含む。
【００９９】
吸込部本体１１内には、左右方向に延びる回転軸（図示せず）を中心に回転可能なギア１２４が配置されており、補助具１２１の取付部１２２の上面には、ギア１２４の歯に噛み合うラック（図示せず）が形成されている。ギア１２４の回転軸はシャッター２０に連結されていて、シャッター２０の開閉に伴なってギア１２４が回転することにより、このギア１２４に噛み合う補助具１２１が前後方向にスライドするようになっている。
【０１００】
図３０は、図２９に示す吸込部４０２のシャッター２０が開いた状態を示す左側面図である。
図２９に示すように、シャッター２０が閉じた状態では、補助具１２１は吸込部本体１１内に収容されているが、壁際の掃除を行う際には、シャッター２０が壁Ｗに当接して回動することにより、シャッター２０が開き、サブ吸込口１９が開放された状態となる。このとき、シャッター２０が開くのに伴なってギア１２４が時計回りに回転し、ギア１２４に噛み合う補助具１２１が前方に向かってスライドする。そして、図３０に示すように、シャッター２０が完全に開いた状態では、補助具１２１の前端が、平面視でシャッター２０の最前部（補助ローラ５８の外周面）とほぼ同じ位置まで突出した状態となる。したがって、図３０に示す状態から吸込部本体１１を壁Ｗに沿って移動させれば、各補助ローラ５８を壁Ｗに沿って転動させて吸込部本体１１を容易に移動させることができるとともに、補助具１２１の前端に備えられたブラシ部１２３を壁際に沿って移動させて塵埃を掻き寄せることができるので、壁際の隅などの掃除を良好に行うことができる。
【０１０１】
この発明は、以上の実施形態の内容に限定されるものではなく、請求項記載の範囲内において種々の変更が可能である。
【図面の簡単な説明】
【０１０２】
【図１】この発明の第１実施形態に係る電気掃除機用吸込具の構成を示す側面図である。
【図２】図１に示す吸込部の平面図である。
【図３】図１に示す吸込部の底面図である。
【図４】図１に示す吸込部を前後方向に沿った鉛直面で切断したときの断面を左方から見た左側断面図であって、シャッターが閉じた状態を示している。
【図５】図１に示す吸込部を前後方向に沿った鉛直面で切断したときの断面を左方から見た左側断面図であって、シャッターが開いた状態を示している。
【図６】図１に示す連結装置の平面図である。
【図７】図６に示す矢印Ａ−Ａに沿って見た連結装置の断面図である。
【図８】図７に示す矢印Ｂ１−Ｂ１に沿って見た連結装置の断面図である。
【図９】図７に示す矢印Ｂ２−Ｂ２に沿って見た連結装置の断面図であって、（ａ）は基準回転位置、（ｂ）は第１連結部を基準回転位置から右側に約１８０°回転させた状態、（ｃ）は第１連結部を基準回転位置から左側に約１８０°回転させた状態を示している。
【図１０】図１に示す状態から第１連結部を第２連結部に対して左側に約９０°回転させた状態における電気掃除機用吸込具の平面図である。
【図１１】図１０に示す状態から第１連結部を第２連結部に対して左側に約９０°回転させた状態、すなわち、図１に示す状態から第１連結部を第２連結部に対して左側に約１８０°回転させた状態における電気掃除機用吸込具の側面図である。
【図１２】吸込部を直立姿勢として掃除を行う際の態様を示す平面図である。
【図１３】図１２に示す状態を水平方向後側から見た図である。
【図１４】連結装置の第１変形例を示す断面図であって、連結装置を前後方向に沿った鉛直面で切断したときの断面を左方から見た図を示している。
【図１５】第１変形例に係る連結装置の第１連結部の平面図であって、第１カバーを取り外した状態を示している。
【図１６】連結装置の第２変形例を示す左側面図である。
【図１７】図１に示す吸込部の平面図であって、吸込部本体の一部を断面で示している。
【図１８】ローラおよび支持部材の構成を示す図であって、（ａ）は正面図、（ｂ）は右側面図を示している。
【図１９】図１７に示す矢印Ｃ−Ｃに沿って見た断面図であって、回動検知スイッチの近傍のみを示している。
【図２０】図１７に示す矢印Ｄ−Ｄに沿って見た断面図であって、（ａ）は、吸込部本体が基本姿勢で床面に当接している状態、（ｂ）は、吸込部本体を基本姿勢で床面から持ち上げた状態を示している。
【図２１】図１７に示す矢印Ｅ−Ｅに沿って見た断面図であって、（ａ）は、吸込部本体が基本姿勢で床面に当接している状態、（ｂ）は、吸込部本体が直立姿勢で床面に当接している状態を示している。
【図２２】この発明の第２実施形態に係る電気掃除機用吸込具の吸込部の構成を示す底面図である。
【図２３】吸込部本体の一部を断面で示した吸込部の左側面図であって、吸込部が基本姿勢で、シャッターが閉じた状態を示している。
【図２４】吸込部本体の一部を断面で示した吸込部の左側面図であって、吸込部が基本姿勢で、シャッターが開いた状態を示している。
【図２５】吸込部本体の一部を断面で示した吸込部の左側面図であって、吸込部が直立姿勢となった状態を示している。
【図２６】この発明の第３実施形態に係る電気掃除機用吸込具の吸込部の構成を示す底面図である。
【図２７】図２６に示す吸込部の吸込部本体を前後方向に沿った鉛直面で切断したときの断面を左方から見た断面図であって、シャッターが閉じた状態を示している。
【図２８】図２６に示す吸込部の吸込部本体を前後方向に沿った鉛直面で切断したときの断面を左方から見た断面図であって、シャッターが開いた状態を示している。
【図２９】この発明の第４実施形態に係る電気掃除機用吸込具の吸込部の構成を示す左側面図である。
【図３０】図２９に示す吸込部のシャッターが開いた状態を示す左側面図である。
【符号の説明】
【０１０３】
１  電気掃除機用吸込具
２，２０２，３０２，４０２  吸込部
３  接続管
５  把持部
６  連結装置
９  第１連結部
１０  第２連結部
１６  吸込口
１９  サブ吸込口
２０  シャッター
３９  ストッパ
４１  ばね
４３  接続ピン
４４  ピン受け部
４５  リード線
４８  下凹部
４９  左凹部
５０  右凹部
７６  リング状配線
７７  ピン受け部
７８  リード線
８２  接点部材
８３  接続ピン
８４  リード線
８５  補助具
９４  ローラ
９５  支持部材
１０３  回動検知スイッチ
１０７  リンク用突部
１０８  スライド部材
１０９  開閉板
Ｆ  床面
【図１】
2006230856.tif 000003
【図２】
2006230856.tif 000004
【図３】
2006230856.tif 000005
【図４】
2006230856.tif 000006
【図５】
2006230856.tif 000007
【図６】
2006230856.tif 000008
【図７】
2006230856.tif 000009
【図８】
2006230856.tif 000010
【図９】
2006230856.tif 000011
【図１０】
2006230856.tif 000012
【図１１】
2006230856.tif 000013
【図１２】
2006230856.tif 000014
【図１３】
2006230856.tif 000015
【図１４】
2006230856.tif 000016
【図１５】
2006230856.tif 000017
【図１６】
2006230856.tif 000018
【図１７】
2006230856.tif 000019
【図１８】
2006230856.tif 000020
【図１９】
2006230856.tif 000021
【図２０】
2006230856.tif 000022
【図２１】
2006230856.tif 000023
【図２２】
2006230856.tif 000024
【図２３】
2006230856.tif 000025
【図２４】
2006230856.tif 000026
【図２５】
2006230856.tif 000027
【図２６】
2006230856.tif 000028
【図２７】
2006230856.tif 000029
【図２８】
2006230856.tif 000030
【図２９】
2006230856.tif 000031
【図３０】
2006230856.tif 000032